(57)【要約】【課題】バッテリー収容ボックスに電気接続箱を取付可能とすると共に、両者を安定よく確実に固定できる取付構造を提供する。【解決手段】バッテリー収容ボックス１１の周壁部１２に一対のガイド部材１３を突設する一方、電気接続箱２１の取付部２２にはガイド部材１３に沿って上方からスライドして係合可能な一対のガイド部２３を設ける。また、上端部にバッテリー固定用の押えステー１６の一端を固定可能な係止片１４を設け、この係止片１４は下部を支点として上部が内外両方向に弾性的に撓み可能とすると共に、電気接続箱２１の取付部２２との対向面で凹凸嵌合するロック手段３０を設け、係止片１４の上端部と対向面側の周壁部１２の上端部との間に押えステー１６を固定して、ロック状態にある係止片１４を確実に位置規制する。【選択図】　図１
2004040879.tif 000002
【特許請求の範囲】
【請求項１】
バッテリー収容ボックスの周壁部と電気接続箱の取付部との間に設けた係合手段を介して上記電気接続箱をバッテリー収容ボックスに係合保持させるようにした電気接続箱の取付構造であって、
上記バッテリー収容ボックスの周壁部に上下方向に一対のガイド部材を間隔を開けて突設する一方、電気接続箱の取付部には上記ガイド部材に沿って上方からスライドして係合可能な一対のガイド部を設け、
上記一対のガイド部材の間には上端部にバッテリー固定用の押えステーの一端を固定可能な固定部材を備えた係止片を設け、該係止片は下部を支点として上部を弾性的に撓み可能とすると共に、上記係止片と上記電気接続箱の取付部との対向面には、上記係止片の弾性撓みに伴って凹凸嵌合するロック手段を設け、上記固定部材と対向面側の周壁部の上端部との間に上記押えステーを固定して、該押えステーによりバッテリーを保持すると共に上記係止片の撓みを規制するようにしていることを特徴とする電気接続箱の取付構造。
【請求項２】
上記ロック手段は上記係止片の中央寄りの位置に設けている請求項１に記載の電気接続箱の取付構造。
【請求項３】
上記係止片は断面コ字状の二重壁構造とすると共に、外側壁部にスリットを介して弾性的に撓み可能とした保持片を設け、該保持片に上記係止片側のロック手段を設けている請求項１に記載の電気接続箱の取付構造。
【請求項４】
上記保持片は上記係止片の幅方向の両端部設けている請求項３に記載の電気接続箱の取付構造。
【請求項５】
上記ガイド部材の上端部は上記保持片のロック手段より低い位置に設定している請求項３または請求項４に記載の電気接続箱の取付構造。
【発明の詳細な説明】
【０００１】
【発明の属する技術分野】
本発明は電気接続箱の取付構造に関し、詳しくはバッテリー収容ボックスの周壁部に対し安定的に取り付け可能とするものである。
【０００２】
【従来の技術】
従来自動車に用いる電気接続箱を他の部材に隣接して配置する場合、その隣接面間に係合手段を設けて連結するようにした取付構造が知られている。例えば、実開昭６０−３４７１４号公報には、図７に示すように、箱部材Ｂに対し箱部材Ａを取付固定するために両者の対向面間に上下スライド嵌合する係合手段１、２を設けると共に、弾性ロック片３とロック爪４からなるロック手段によって箱部材Ｂを抜け止めするようにしたものが記載されている。
【０００３】
【発明が解決しようとする課題】
しかしながら、上記の取付構造ではロック手段としての弾性ロック片３は、箱部材Ｂに対する箱部材Ａの取り付けに際し、作業性を向上させるためには撓み易い設定としなければならい。そして、両者をロックした後も弾性ロック片３は撓み可能な状態とされているので、自動車の使用状況における振動や、熱による変形等により弾性ロック片３のロック機能が低下を来たすおそれがあった。また、連結すべき部材に樹脂成型時の反りが発生している場合は、係合手段１、２間のスライド操作がし難くなったり、弾性ロック片３とロック爪４との係合代が少なくなって保持力が低下する等のおそれもあった。
【０００４】
本発明は上記問題に鑑みてなされたもので、バッテリー収容ボックスを利用して電気接続箱を取付可能とすると共に、両者間のロック手段をバッテリー固定用の押えステーに連携することでロック手段の外れ防止を図る取付構造を提供することを課題としている。
【０００５】
【課題を解決するための手段】
上記課題を解決するため、本発明では、バッテリー収容ボックスの周壁部と電気接続箱の取付部との間に設けた係合手段を介して上記電気接続箱をバッテリー収容ボックスに係合保持させるようにした電気接続箱の取付構造であって、
上記バッテリー収容ボックスの周壁部に上下方向に一対のガイド部材を間隔を開けて突設する一方、電気接続箱の取付部には上記ガイド部材に沿って上方からスライドして係合可能な一対のガイド部を設け、
上記一対のガイド部材の間には上端部にバッテリー固定用の押えステーの一端を固定可能な固定部材を備えた係止片を設け、該係止片は下部を支点として上部を弾性的に撓み可能とすると共に、上記係止片と上記電気接続箱の取付部との対向面には、上記係止片の弾性撓みに伴って凹凸嵌合するロック手段を設け、上記固定部材と対向面側の周壁部の上端部との間に上記押えステーを固定して、該押えステーによりバッテリーを保持すると共に上記係止片の撓みを規制するようにしていることを特徴とする電気接続箱の取付構造を提供している。
【０００６】
上記構成によれば、バッテリー収容ボックスに対し電気接続箱を取り付けるに際し、ガイド部材に沿って取付部のガイド部を上方からスライドさせて下方へ押し嵌めるようにすれば、係止片が弾性的に撓んで凹凸嵌合によるロック手段によって係合固定させることができる。その際、押えステーの取り付け前の状態で、係止片上端の固定部材を指先で内方へ引っ張ることによって係止片全体を内方へ撓ませながら電気接続箱のガイド部をスライドさせれば、ロック手段が未干渉となって係合操作の操作性を向上できる。そして、係合完了後に係止片を弾性復帰させればロック手段を機能させることができる。また、電気接続箱の係合完了後に係止片上端の固定部材と対向面側の周壁部との間に押えステーを固定すれば、押えステーによりバッテリー収容部に装着されたバッテリーを保持できると同時に、係止片の撓みが押えステーで規制されるので、振動等の作用を受けてもロック手段が外れるおそれがない。
【０００７】
なお、バッテリー収容部に取り付けるべき電気接続箱としては、ジョイントボックス、ヒューズボックス、リレーボックス等、バッテリーの近傍に配置される各種電気部品のボックスを含む。また、凹凸嵌合によるロック手段としては、係止爪と係止孔、係止爪同士、係止突起と係止凹部等、その形状は限定されない。
【０００８】
上記ロック手段は上記係止片の中央寄りの位置に設けてもよい。このようにすれば、係止片の上部が多少内方へ引っ張られてもロック手段による嵌合状態が解除されることがなく、信頼性を向上することができる。
【０００９】
上記係止片は断面コ字状の二重壁構造とすると共に、外側壁部にスリットを介して弾性的に撓み可能とした保持片を設け、該保持片に上記係止片側のロック手段を設けるようにしてもよい。この場合、上記保持片は上記係止片の幅方向の両端部設ければ、ガタツキを生じることなく電気接続箱を安定よく保持することができる。
【００１０】
上記ガイド部材の上端部は上記保持片のロック手段より低い位置に設定するのが好ましい。これにより取付部のガイド部をガイド部材に挿入し易くなり作業性を向上することができる。
【００１１】
なお、上記ガイド部材とガイド部とは内外方向に遊びを有して凹凸係合してスライド可能な構成とすると共に、押えステーにより係止片の位置が固定されたときに凹凸係合部分において外側へ押圧気味に位置決めされる構成とするのが好ましい。このようにすれば、ガイド部材またはガイド部に成型上の反りが発生していても円滑なスライド係合を可能にし、かつ、取付後は係止片の押圧によってガタつきを生じることなく保持することができる。
【００１２】
【発明の実施の形態】
以下本発明の実施形態を図面を参照して説明する。
図１〜図３は本発明に係る電気接続箱の取付構造の第１実施形態を示す。
図１はバッテリーＢを収容するために上面が開口されたバッテリー収容ボックス１１の周壁部１２の一側面に電気接続箱２１を係合保持した状態を示している。　なお、バッテリー収容ボックス１１に保持すべき電気接続箱２１としては、ジョイントボックス、リレーボックス、ヒューズボックス等、バッテリーＢの近傍に配置される各種ボックスを示している。
【００１３】
バッテリー収容ボックス１１と電気接続箱２１を係合保持するための係合手段３０として、バッテリー収容ボックス１１側には、図２に示すように、周壁部１２に上下方向に延びる一対のガイド部材１３を所要の間隔を開けて突設している。一対のガイド部材１３は断面コ字状の案内溝１３ａを対向させるようにして配置し、下端部にはストッパー作用をなす底板１３ｂを設けている。また、一対のガイド部材１３の間には下部を支点として上部が内外両方向に弾性的に撓み可能な係止片１４を設けている。係止片１４の上端部には、対向する周壁部１２の上端に向けて延出した座部１４ａを突設すると共に、この座部１４ａには上方へ向けて突出するボルトからなる固定部材１４ｂを突設している。一方、固定部材１４ｂに対向する反対側の周壁部１２の上端部には内方へ向けて逆Ｌ字状に突出すると共に係止孔１５ａを形成した止め片１５を突設している。そして、この止め片１５の係止孔１５ａに係止可能なフック１６ａを一端に備えると共に、他端には固定部材１４ｂに係止可能な孔部１６ｂを備えた押えステー１６を橋渡し状に取り付け、更に固定部材１４ｂにナット１７を螺合することで押えステー１６を介してバッテリーＢを抜け止め固定するようにしている。
【００１４】
一方、電気接続箱２１の一側面に設けた取付部２２には、バッテリー収容ボックス１１のガイド部材１３の案内溝１３ａに凹凸係合して上下方向にスライド可能なガイド部２３を両側に形成している。なお、案内溝１３ａとガイド部２３との凹凸係合は、成型上の反りを吸収できる程度の遊びを持った寸法設定とするのが好ましい。この場合、取付後には係止片１４が押えステー１６により位置規制されるのに伴って、ガイド部２３が案内溝１３ａの外側面に押圧気味にされることでガイド部２３との凹凸係合の遊びを吸収している。
【００１５】
また、取付部２２と係止片１４の対向面には、係止片１４が押えステー１６によって位置規制された状態において、ガイド部材１３に嵌入された取付部２２を抜け止め状態に保持するためのロック手段３０を設けている。このロック手段３０として取付部２２の略中央に角孔状のロック孔３１を形成する一方、係止片１４側にはロック孔３１に嵌入するロック突起３２を突設している。このロック突起３２の上面側には係止片１４の表面からロック突起３２へ向けて傾斜状に突出する案内面３２ａを形成すると共に、下面側には係止片１４の表面に対し垂直な係止面３２ｂを形成している。なお、上記ロック手段３０は、係止片１４の上端部付近に設けるのではなく、上下方向の中央よりの位置に設けるのが好ましい。このようにすれば、下部を支点とする係止片１４の不意な撓みによってロック手段３０が影響され難く、ロック解除を防止できるからである。
【００１６】
次に、上記構成からなる第１実施形態の作用について説明する。
先ず、図３（Ａ）に示すように、バッテリー収容ボックス１１内にバッテリーＢを収容する。次いで図３（Ｂ）に示すように、ガイド部材１３の案内溝１３ａに電気接続箱２１の取付部２２におけるガイド部２３を上方から挿入して下方へ押圧する。そして取付部２２が下方へ移動するのに伴って係止片１４のロック突起３２に干渉し、案内面３２ａの傾斜に沿って更に押圧されることにより係止片１４は内方へ弾性的に撓む。
【００１７】
図３（Ｃ）に示すように、取付部２２が最深部まで押し込まれるとガイド部２３が底板１３ｂに当接して位置決めされると共に、取付部２２のロック孔３１にロック突起３２が嵌入すると同時に係止片１４が外方へ弾性復帰する。このようにして、ロック突起３２の係止面３２ｂにロック孔３１の下縁が係止されることによって取付部２２は抜け止め状態でバッテリー収容ボックス１１の周壁部１２に保持される。
なお、ガイド部材１３への取付部２２の挿入操作に際し、係止片１４を強制的に内方へ撓ませておけば、取付部２２の挿入過程においてロック突起３２との干渉がなく、その挿入抵抗を軽減することができる。
【００１８】
次いで、図３（Ｄ）に示すように、止め片１５の係止孔１５ａに押えステー１６のフック１６ａを係止すると共に、孔部１６ｂを係止片１４上端の固定部材１４ｂに係合させた後、ナット１７にて締付けることで押えステー１６を固定する。この押えステー１６によってバッテリー収容ボックス１１に収容されたバッテリーＢの抜けが防止されると同時に、係止片１４の内方への撓みが規制される。このため、係止片１４のロック突起３２と取付部２２のロック孔３１によるロック手段３０は解除されることなく安定的にロック状態を維持することができる。また、電気接続箱２１の取付部２２は、係止片１４が押えステー１６によって位置規制された状態で外方へ若干押圧されることによりガイド部材１３とガイド部２３との凹凸係合のガタツキを吸収することができる。なお、図３（Ｂ）〜（Ｄ）においては、ロック手段３０の状態を見や易くするため、電気接続箱２１の取付部２２のみを表示している。
【００１９】
図４〜図６は第２実施形態を示す。
係止片１１４の両端方を断面コ字状の二重壁構造とすると共に、外側左右の壁部１１４ｃに上端からそれぞれ切り込んだスリット１１４ｄを介して内外両方向に弾性的に撓み可能とした保持片１１４ｅを上端寄りの位置に設けている。この保持片１１４ｅには、係止片１１４側のロック手段１３０としてのロック突起１３２を設けている。一方、電気接続箱１２１の取付部１２２側には、ロック突起１３２に対応して左右一対のロック孔１３１を設けている。また、断面コ字状の案内溝１１３ａを有するガイド部材１１３は係止片１１４のロック突起１３２の位置より若干低めの位置に上端部を設定すると共に、その上端方を外方へ向けて広がり状に傾斜させた挿入ガイド部１１３ｃを設けている。
なお、その他の構成は第１実施形態と同様のため、同一符号を付して説明を省略する。
【００２０】
上記第２実施形態は、第１実施形態と同様にガイド部材１１３の案内溝１１３ａへの電気接続箱１２１の取付部１２２の挿入によって、ロック孔１３１とロック突起１３２が係合して固定される。しかしながら、第２実施形態では係止片１１４と相乗して撓み動作する保持片１１４ｅによって係止片１１４を大きく撓ませることなくロック操作を行うことができる。また、ガイド部材１１３に挿入ガイド１１３ｃが設けられているため、ガイド部材１１３への取付部１２２の嵌入操作の操作性を向上できる。取付部２２の嵌入操作が完了した後は、第１実施形態と同様に押えステー１６によって係止片１１４を介して電気接続箱１２１を安定的に固定することができる。
【００２１】
なお、上記各実施形態において、ロック手段３０、１３０は、それぞれ、１箇所、２箇所の例を示したが、その数および位置は特に限定せず任意に設定することができる。また、ガイド部材１３、１１３とガイド部２３、１２３との凹凸係合状態は、逆の設定でもよい。
【００２２】
【発明の効果】
以上の説明より明らかなように、本発明の電気接続箱の取付構造によれば、バッテリー収容ボックスの周壁に電気接続箱を取り付けるに際し、取付部と係止片との間に設けた凹凸嵌合のロック手段によって、電気接続箱を保持固定することができる。その取付状態において、係止片は押えステーにより撓み規制されるので、振動等の衝撃によってもロック手段が不意に解除されることがなく、確実に固定することができる。
【図面の簡単な説明】
【図１】本発明の電気接続箱の取付構造の第１実施形態を示す斜視図である。
【図２】バッテリー収容ボックスにバッテリーを収容した状態の斜視図である。
【図３】図２のＸ−Ｘ断面図を示し、（Ａ）は電気接続箱の挿入前の状態、（Ｂ）は挿入途中の状態、（Ｃ）は挿入完了後の状態、（Ｄ）は押えステーの取付状態を示す図である。
【図４】電気接続箱の取付構造の第２実施形態を示し、バッテリー収容ボックスにバッテリーを収容した状態の斜視図である。
【図５】バッテリー収容ボックスに電気接続箱を取り付けた状態の斜視図である。
【図６】（Ａ）は図４のＹ−Ｙ断面図、（Ｂ）は図５のＺ−Ｚ断面図である。
【図７】従来例を示す斜視図である。
【符号の説明】
Ｂ　バッテリー
１１　バッテリー収容ボックス
１２　周壁部
１３、１１３　ガイド部材
１４、１１４　係止片
１４ｂ　固定部材
１１４ｃ　壁部
１１４ｄ　スリット
１１４ｅ　保持片
１６　押えステー
２１、１２１　電気接続箱
２２、１２２　取付部
２３　ガイド部
３０、１３０　ロック手段
【図１】
2004040879.tif 000003
【図２】
2004040879.tif 000004
【図３】
2004040879.tif 000005
【図４】
2004040879.tif 000006
【図５】
2004040879.tif 000007
【図６】
2004040879.tif 000008
【図７】
2004040879.tif 000009